(57)【要約】【課題】食事の際に犬にストレスを与えることがなく、快適で衛生的な状態で食事をさせることのできる犬用給餌器を提供する。【解決手段】所定の高さに設定された基台１２と、前記基台１２の上部開口部２０に装着され、食物、水、薬の中の少なくとも１つを含む犬１４の餌１６を収容する食器１８とを備える犬用給餌器１０において、前記食器１８は、前記餌１６を収容する収容部３２と、前記収容部３２に向かって所定量切り欠かれた切欠部３４と、前記収容部３２と前記切欠部３４との間に形成される突部３６と、上部外周部４６に形成され、前記上部開口部２０に係合する鍔部３８とを有する。【選択図】図１
2015119662.tif 000002
【特許請求の範囲】
【請求項１】
所定の高さに設定された基台と、前記基台の上部開口部に装着され、食物、水、薬の中の少なくとも１つを含む犬の餌を収容する食器とを備える犬用給餌器において、
前記食器は、前記餌を収容する収容部と、前記収容部に向かって所定量切り欠かれた切欠部と、前記収容部と前記切欠部との間に形成される突部と、上部外周部に形成され、前記上部開口部に係合する鍔部とを有することを特徴とする犬用給餌器。
【請求項２】
請求項１記載の犬用給餌器において、
前記基台は、下部がスカート状に広がった形状に形成されることを特徴とする犬用給餌器。
【請求項３】
請求項１記載の犬用給餌器において、
前記基台は、
台座と、
前記台座に下端部が固定され、上下方向に伸縮自在な支柱と、
前記支柱の上端部に固定され、前記食器が装着される前記上部開口部を有する支持台と、
を備えることを特徴とする犬用給餌器。
【請求項４】
請求項１〜３のいずれか１項に記載の犬用給餌器において、
前記食器は、前記切欠部の両側に形成され、前記上部開口部から外方向に突出する取手を有することを特徴とする犬用給餌器。
【請求項５】
請求項１〜４のいずれか１項に記載の犬用給餌器において、
前記食器は、外周に配置され、前記基台に装着された際に前記上部開口部の内周面に接触する滑り止め部材を有することを特徴とする犬用給餌器。
【発明の詳細な説明】
【技術分野】
【０００１】
本発明は、基台と、前記基台の上部開口部に装着され、犬の餌を収容する食器とを備える犬用給餌器に関する。
【背景技術】
【０００２】
通常、犬は、立ったままの姿勢で食べる習性がある。しかしながら、家庭で飼われている多くの犬は、床に置かれた食器から餌を食べているのが現状である。そのため、犬は、必然的に頭部側が下がった状態で食べることになる。この場合、食道から胃に掛けてのラインは、不自然に湾曲し、犬にストレスがかかってしまう。また、食器を床に置いて食べさせることは、衛生上の観点からも好ましくない。そこで、餌を収容する食器が載置され、犬が自然な姿勢で食べられるようにした給餌台が考案されている（特許文献１参照）。
【先行技術文献】
【特許文献】
【０００３】
【特許文献１】実開平４−４９９５１号公報
【発明の概要】
【発明が解決しようとする課題】
【０００４】
しかしながら、この給餌台は、基台上に連結パイプを介して食器を支持させているだけの構成である。そのため、例えば、食器の一部が食事中の犬の喉に接触し、犬にストレスを与えてしまうおそれがある。また、犬は、食器の中に頭部を入れ込んで食べることになる。従って、食道から胃に掛けてのラインは、大きく湾曲し、餌が胃に円滑に送り込まれないおそれがある。
【０００５】
本発明は、前記の課題を解決するためになされたものであって、食事の際に犬にストレスを与えることがなく、快適で衛生的な状態で食事をさせることのできる犬用給餌器を提供することを目的とする。
【課題を解決するための手段】
【０００６】
本発明に係る犬用給餌器は、所定の高さに設定された基台と、前記基台の上部開口部に装着され、食物、水、薬の中の少なくとも１つを含む犬の餌を収容する食器とを備える犬用給餌器において、前記食器は、前記餌を収容する収容部と、前記収容部に向かって所定量切り欠かれた切欠部と、前記収容部と前記切欠部との間に形成される突部と、上部外周部に形成され、前記上部開口部に係合する鍔部とを有することを特徴とする。
【０００７】
また、前記犬用給餌器において、前記基台は、下部がスカート状に広がった形状に形成されることを特徴とする。
【０００８】
また、前記犬用給餌器において、前記基台は、台座と、前記台座に下端部が固定され、上下方向に伸縮自在な支柱と、前記支柱の上端部に固定され、前記食器が装着される前記上部開口部を有する支持台と、を備えることを特徴とする。
【０００９】
また、前記犬用給餌器において、前記食器は、前記切欠部の両側に形成され、前記上部開口部から外方向に突出する取手を有することを特徴とする。
【００１０】
また、前記犬用給餌器において、前記食器は、外周に配置され、前記基台に装着された際に前記上部開口部の内周面に接触する滑り止め部材を有することを特徴とする。
【発明の効果】
【００１１】
本発明の犬用給餌器では、所定の高さに設定された基台の上部開口部に食器が装着される。そして、この食器には、収容部に向かって切り欠かれた切欠部が形成され、切欠部と収容部との間に突部が形成され、食器を基台の上部開口部に係合させる鍔部が上部外周部に形成される。
【００１２】
この場合、犬の食道は、食事をする際に自然な状態に維持される。そのため、犬の食道から胃に至るラインは、不自然に湾曲されない。また、食器には、切欠部が形成されているため、食事中に喉が食器の一部によって圧迫されない。従って、犬は、ストレスを感じることなく、快適な状態で食事ができる。また、収容部の餌は、突部によって食器から零れ落ちることが阻止されるため、衛生的である。さらに、食器は、床から所定の高さの場所に設置されるため、衛生的である。さらにまた、食器の上部外周部には、鍔部が形成されているため、食器は、基台の上部開口部に安定した状態で装着される。
【００１３】
また、基台は、下部がスカート状に広がった形状に形成されるため、食器を安定した状態で保持できる。
【００１４】
また、基台を上下方向に伸縮自在な構成とすることにより、食器の高さを犬の体型に対応して調整できる。
【００１５】
また、基台から外方向に突出する取手が食器に設けられることにより、取手を介して、基台に対する食器の着脱及び傾斜角度を容易に調整できる。
【００１６】
さらに、食器は、外周に配置した滑り止め部材を基台の上部開口部の内周面に接触させ、犬の体型に合わせて任意の傾斜角度に装着できる。従って、犬は、体型に応じた自然な状態で餌を食べられる。
【図面の簡単な説明】
【００１７】
【図１】図１Ａは、第１実施形態の犬用給餌器の分解斜視図、図１Ｂは、図１Ａに示す犬用給餌器の組立斜視図である。
【図２】図１Ｂに示す犬用給餌器の縦断面図である。
【図３】第１実施形態の基台に対する食器の装着状態の変形例の縦断面図である。
【図４】第２実施形態の犬用給餌器の縦断面図である。
【図５】第１実施形態の基台の変形例の縦断面図である。
【発明を実施するための形態】
【００１８】
以下、本発明の実施形態について図面を参照して説明する。
【００１９】
＜第１実施形態の犬用給餌器１０の構成＞
図１Ａは、第１実施形態の犬用給餌器１０の分解斜視図、図１Ｂは、図１Ａに示す犬用給餌器１０の組立斜視図である。図２は、図１Ｂに示す犬用給餌器１０の縦断面図である。
【００２０】
犬用給餌器１０は、基台１２と、犬１４の餌１６を収容する食器１８とを備える。基台１２は、犬１４の体高Ｈに応じた所定の高さに設定される。食器１８は、基台１２の上部開口部２０に装着される。餌１６は、食物、水、薬の中の少なくとも１つを含む。基台１２及び食器１８は、材質として、例えば、抗菌性の高いサージカルステンレス（ＳＵＳ３１６Ｌ）で形成することにより、衛生的であり、また、金属アレルギーや錆の発生を回避できる。また、基台１２及び食器１８は、表面をマット仕上げとすることにより、傷や汚れを目立たなくできる。
【００２１】
基台１２は、下部がスカート状に広がった概略円筒形状に形成される。基台１２は、上部開口部２０から下部のスカート部２２に掛けて径が徐々に大きくなるように形成される。床面２４に接触する基台１２の下端部２６は、楕円形状に形成される。基台１２の上部開口部２０は、傾斜した楕円形状に形成される。床面２４から低い方の上端部２８ａまでの高さｈ１は、犬用給餌器１０を使用する犬１４の口１４ａの位置に略対応する高さに設定される。
【００２２】
高さｈ１は、犬１４の体高Ｈと、図２に示す食道１４ｂの傾斜角度ａとに基づいた高さに設定される。例えば、体高Ｈの高い犬１４に対しては、高さｈ１が高く設定される。また、傾斜角度ａが大きい犬１４に対しては、高さｈ１が高く設定される。ここで、体高Ｈは、床面２４からキ甲部（肩甲骨上部と第１、第２胸椎が接合する部分）までの高さである。また、食道１４ｂの傾斜角度ａは、犬１４にストレスを与えない自然な状態における食道１４ｂの水平線から上方向に対する角度であり、通常４５°前後である。なお、代表的な犬１４として、例えば、体重３ｋｇ以下のトイプードルの体高Ｈは、２８ｃｍ程度であり、この場合の基台１２の高さｈ１は、１０〜２０ｃｍ程度である。また、体重３ｋｇ以下のチワワの体高Ｈは、１２ｃｍ程度であり、基台１２の高さｈ１は、５〜１５ｃｍ程度である。さらに、体重１０ｋｇ以下の柴犬の体高Ｈは、４１ｃｍ程度であり、基台１２の高さｈ１は、１５〜２５ｃｍ程度である。また、上部開口部２０は、床面２４から高い方の上端部２８ｂまでの高さｈ２（ｈ１＜ｈ２）が、犬用給餌器１０を使用して食べている犬１４の視界を圧迫しない程度の高さに設定される。
【００２３】
食器１８は、基台１２の上部開口部２０の形状に対応した概略ボウル形状に形成される。食器１８は、収容部３２と、切欠部３４と、複数の突部３６と、鍔部３８と、取手４０ａ、４０ｂと、滑り止め部材４２とを備える。
【００２４】
収容部３２は、餌１６を収容する凹部である。切欠部３４は、収容部３２に向かって所定量切り欠かれた部分である。突部３６は、収容部３２と切欠部３４との間の傾斜面４４に形成され、上方向に突出した部分である。突部３６は、切欠部３４側を頂点として湾曲する形状である。傾斜面４４の傾斜角度ｃは、水平線から上方向に対して自然な状態で傾斜する咽喉頭１４ｃの傾斜角度ｂに近い角度に設定される。なお、咽喉頭１４ｃは、犬１４の口１４ａから食道１４ｂに至る部分である。鍔部３８は、収容部３２の上部外周部４６に下方向に湾曲させて形成される。鍔部３８は、基台１２の上部開口部２０に係合する係合部である。取手４０ａ、４０ｂは、切欠部３４の両側に形成される。取手４０ａ、４０ｂは、食器１８が上部開口部２０に装着された状態において、上部開口部２０から外方向に突出する。取手４０ａ、４０ｂは、食事中の犬１４の喉に当たらないように、下方向に湾曲される。滑り止め部材４２は、食器１８の外周に配置され、基台１２に装着された際に上部開口部２０の内周面２０ａに接触する部材である。滑り止め部材４２は、例えば、シリコーンゴムで形成される。
【００２５】
＜第１実施形態の犬用給餌器１０の使用方法＞
第１実施形態の犬用給餌器１０は、基本的には以上のように構成される。次に、犬用給餌器１０の使用方法について説明する。
【００２６】
先ず、ユーザは、餌１６を調理した後、食器１８の収容部３２に収容する。この場合、餌１６は、基台１２から取り外した状態の食器１８上で調理し、又は、他所で調理した後、収容部３２に収容してもよい。また、食器１８が耐熱性の材質であれば、食器１８を直接加熱して餌１６を調理してもよい。
【００２７】
次に、ユーザは、餌１６を収容した食器１８を上部開口部２０に装着する。ユーザは、食器１８から突出する取手４０ａ、４０ｂを把持し、食器１８を基台１２の上部開口部２０に装着できる。食器１８は、切欠部３４が基台１２の上端部２８ａ側となるように装着される。
【００２８】
食器１８の上部外周部４６には、鍔部３８が形成されている。鍔部３８は、上部開口部２０に係合する。従って、食器１８は、安定した状態で基台１２に装着される。また、食器１８の外周には、滑り止め部材４２が配置されている。そのため、食器１８は、上部開口部２０に装着された際、滑り止め部材４２が上部開口部２０の内周面２０ａに密着し、安定した状態で固定される。さらに、基台１２は、下部が広がったスカート部２２となっているため、食器１８を安定した状態で保持できる。
【００２９】
傾斜面４４の傾斜角度ｃは、犬１４の咽喉頭１４ｃの傾斜角度ｂに応じて、任意に調整できる。例えば、図３は、咽喉頭１４ｃの傾斜角度ｂが小さい犬１４に対応させて、食器１８の傾斜面４４の傾斜角度ｃを小さい角度に調整した場合を示す。このように、食器１８の外周には、滑り止め部材４２が配置されているため、傾斜面４４は、使用する犬１４の咽喉頭１４ｃの傾斜角度ｂに応じた任意の傾斜角度ｃに設定できる。
【００３０】
食器１８が基台１２に装着された後、犬１４は、餌１６を食べる。食器１８の切欠部３４側の高さは、犬１４の体高Ｈと食道１４ｂの傾斜角度ａとに基づく適切な高さｈ１に設定されている。そのため、犬１４の食道１４ｂから胃に至るラインは、不自然に湾曲されない。また、食器１８には、餌１６を収容する収容部３２に向かって切欠部３４が形成されている。そのため、食事中の犬１４の喉は、食器１８に接触して圧迫されない。従って、犬１４は、ストレスを感じることなく、食道１４ｂを最適な傾斜角度ａ（通常、４５°前後）に維持した状態で餌１６を食べられる。また、傾斜面４４には、切欠部３４側を頂点として湾曲する複数の突部３６が形成されている。この場合、収容部３２に収容された餌１６は、突部３６によって阻止されるため、食器１８から零れ落ちるおそれがなく、衛生的である。また、切欠部３４の両側には、基台１２から所定量だけ突出する取手４０ａ、４０ｂが形成されている。これらの取手４０ａ、４０ｂにより、食事中の犬１４の首が保持されるため、餌１６が周囲に散乱することを防げる。さらに、食器１８は、床面２４から所定の高さの場所に設置されているため、衛生的である。従って、犬１４は、極めて衛生的な状態で餌１６を食べられる。
【００３１】
犬１４の食事が終了すると、ユーザは、食器１８を基台１２から取り外して食器１８を洗う。この場合、ユーザは、基台１２から突出する取手４０ａ、４０ｂを把持し、食器１８を基台１２から容易に取り外せる。
【００３２】
＜第２実施形態の犬用給餌器５０の構成＞
図４は、第２実施形態の犬用給餌器５０の縦断面図である。第１実施形態の犬用給餌器１０と同一の構成要素には、同一の参照符号を付し、詳細な説明を省略する。
【００３３】
犬用給餌器５０は、板状の台座５２と、支柱５４と、支持台５６と、食器１８とを備える。支柱５４は、下端部が台座５２に固定され、上下方向に伸縮自在な支柱である。支持台５６は、支柱５４の上端部に固定され、上部開口部５８に装着される食器１８を支持する台である。台座５２、支柱５４及び支持台５６は、基台を構成する。台座５２、支柱５４、支持台５６及び食器１８は、犬用給餌器１０と同様に、材質として、例えば、抗菌性の高いサージカルステンレス（ＳＵＳ３１６Ｌ）で形成できる。
【００３４】
支持台５６は、支柱５４を介して台座５２により支持される。支持台５６は、有底円筒形状であり、上部開口部５８の形状は、第１実施形態の基台１２の上部開口部２０と同じである。
【００３５】
＜第２実施形態の犬用給餌器５０の使用方法＞
犬用給餌器１０の場合と同様に、ユーザは、餌１６を収容する食器１８を上部開口部５８に装着する。食器１８は、傾斜面４４の傾斜角度ｃを、犬用給餌器５０を使用する犬１４の咽喉頭１４ｃの傾斜角度ｂに応じて調整できる。また、床面２４から上端部６０までの支持台５６の高さｈ１は、犬用給餌器５０を使用する犬１４の口１４ａの位置に略対応する高さに調整される。
【００３６】
このようにして食器１８の傾斜角度ｃ及び上端部６０の高さｈ１が設定され、任意の体型の犬１４がストレスのない最適な状態で餌１６を食べられる。
【００３７】
図５は、第１実施形態の基台１２の変形例の縦断面図である。基台６２は、基台本体６４と、円筒支持部６６と、滑り止め部材６８とを備える。基台本体６４は、基台１２と同じ形状である。円筒支持部６６は、上端部７０ａが基台本体６４の下部のスカート部７２の内周面に連結される。円筒支持部６６の下端部７０ｂには、滑り止め部材６８が装着される。滑り止め部材６８は、床面２４に当接する。滑り止め部材６８は、リング状に形成され、円筒支持部６６の下端部７０ｂに対して着脱自在である。
【００３８】
円筒支持部６６の下端部７０ｂに装着された滑り止め部材６８が床面２４に当接することにより、基台６２が犬１４の食事中に動くことを回避できる。従って、犬１４は、安定した状態で餌１６を食べられる。また、滑り止め部材６８は、円筒支持部６６に対して着脱自在であるため、摩耗した場合等において容易に交換できる。
【００３９】
なお、本発明は、上述した実施の形態に限定されるものではなく、本発明の主旨を逸脱しない範囲で変更することが可能である。
【００４０】
本実施形態では、基台１２は、概略円筒形状とし、上部開口部２０から下部のスカート部２２に掛けて径が徐々に大きくなるように構成しているが、基台１２の上部開口部２０に食器１８を装着できるのであれば、本発明はこれに限定されるものではない。例えば、概略円筒形状の基台１２のスカート部２２の一部を切り欠き、食事中の犬１４の脚が基台１２に干渉しない形状としてもよい。
【００４１】
また、食器１８の外周に配置される滑り止め部材４２は、シリコーンゴム等からなるバンド状の部材を適宜交換できるように着脱可能に構成してもよい。
【００４２】
さらに、犬１４の食事中に犬用給餌器１０、５０が動かないように、基台１２又は台座５２の下面部にシリコーンゴム等の滑り止め部材が装着され、基台１２又は台座５２がこの滑り止め部材を介して床面２４に載置されるように構成してもよい。
【符号の説明】
【００４３】
１０、５０…犬用給餌器
１２、６２…基台
１４…犬
１４ａ…口
１４ｂ…食道
１４ｃ…咽喉頭
１６…餌
１８…食器
２０、５８…上部開口部
２０ａ…内周面
２２、７２…スカート部
２４…床面
２６、７０ｂ…下端部
２８ａ、２８ｂ、６０、７０ａ…上端部
３２…収容部
３４…切欠部
３６…突部
３８…鍔部
４０ａ、４０ｂ…取手
４２、６８…滑り止め部材
４４…傾斜面
４６…上部外周部
５２…台座
５４…支柱
５６…支持台
６４…基台本体
６６…円筒支持部
【図１】
2015119662.tif 000003
【図２】
2015119662.tif 000004
【図３】
2015119662.tif 000005
【図４】
2015119662.tif 000006
【図５】
2015119662.tif 000007